(57)【特許請求の範囲】
【請求項１】
水田に沿って配置されるようになっており、水田に対して用水を給排する給排水堰がその上部に設けられた給排水枡と、
この給排水枡内に用水を流入させる流入管とこの流入管よりも小径であって水田に直接用水を供給する流入補助管とを有しており、流入管および流入補助管が弁によって開閉されるようになった用水流入部と、
前記給排水枡内に設けられており、水田に供給される用水が所定の水位になるように、水田から給排水枡内に流入する余剰の用水を給排水枡から排出する水位調整部と、
を具備することを特徴とする水田の水位調整ユニット。
【発明の詳細な説明】
【０００１】
【発明の属する技術分野】
本発明は、水田に供給される用水の水位調整に使用される水位調整ユニットに関する。
【０００２】
【従来の技術】
用水によって灌漑される水田では、用水を一定の水位に管理することが、稲の生育等において重要になる。このために、特開平７−２８４３４９号公報には、水田の水位を一定に調整することができる水位調整器が開示されている。この公報に開示された水位調整器では、水田における余剰の用水を、下流側の水田に供給することにより、用水の水位を一定に保持するようになっている。
【０００３】
【発明が解決しようとする課題】
水田においては、代掻き時には多量の用水が必要になる。このために、前記公報に開示された水位調整器では、代掻き時に必要とされる多量の用水を短時間で供給し得るように構成されている。しかし、代掻きが終了すると、水田に供給された用水を一定の水位に調整すればよいために、代掻き時のように、多量の用水を供給すれば、多量の用水が余剰水として排出されることになる。
【０００４】
本発明はこのような問題を解決するものであり、その目的は、水田に供給される用水を一定の水位に調整する際に、用水の流量を切り換えることができる水田の水位調整ユニットを提供することにある。
【０００５】
【課題を解決するための手段】
本発明の水田の水位調整ユニットは、水田に沿って配置されるようになっており、水田に対して用水を給排する給排水堰がその上部に設けられた給排水枡と、この給排水枡内に用水を流入させる流入管とこの流入管よりも小径であって水田に直接用水を供給する流入補助管とを有しており、流入管および流入補助管が弁によって開閉されるようになった用水流入部と、前記給排水枡内に設けられており、水田に供給される用水が所定の水位になるように、水田から給排水枡内に流入する余剰の用水を給排水枡から排出する水位調整部と、を具備することを特徴とする。
【０００６】
【発明の実施の形態】
以下、本発明の実施の形態を、図面に基づいて詳細に説明する。
【０００７】
図１は、本発明の水田の水位調整ユニットの縦断面図、図２は、その横断面図、図３は、その平面図である。この水位調整ユニット１０は、中空の直方体状をした給排水枡１１を有している。給排水枡１１は、奥行きが幅方向寸法よりも小さな縦長に構成されており、上面のみが開放されている。給排水枡１１の正面１１ｂにおける上部中央には、長方形状に開口した給排水堰１１ａが設けられている。
【０００８】
給排水枡１１内における一方の側部には、用水流入部１４が設けられている。この用水流入部１４には、給排水枡１１における一方の側面１１ｃの下部を水平に貫通する給水接続管１４ｈが設けられており、この給水接続管１４ｈにおける給排水枡１１の外部に位置する端部に、用水が供給される給水パイプ（図示せず）が接続されている。
【０００９】
給水接続管１４ｈにおける給排水枡１１の内部に位置する端部には、エルボ管１４ａが接続されており、エルボ管１４ａに、上方に向かって垂直に延びる流入管１４ｂの下端部が支持されている。流入管１４ｂの上端面は、給水パイプを流れる用水の流入口になっており、この流入口は、給排水堰１１ａの下側の側縁よりも若干上方に位置している。
【００１０】
流入管１４ｂの上端面は、用水弁１４ｃによって開閉されるようになっている。この用水弁１４ｃの上面には、垂直に配置された用水弁用操作ロッド１４ｄの下端部が取り付けられており、この用水弁用操作ロッド１４ｄによって、流入管１４ｂの上端部に設けられた弁支持体１４ｅが上下方向へスライドされるようになっている。用水弁１４ｃは、用水弁用操作ロッド１４ｄが弁支持体１４ｅに対して下方にスライド操作されることにより、流入管１４ｂの上端面に圧接されて、流入管１４ｂの上端面を用水が流出しない状態に閉鎖する。反対に、用水弁用操作ロッド１４ｄが弁支持体１４ｅに対して上方にスライド操作されると、流入管１４ｂの上端面の流入口が用水が流出するように開放される。用水弁用操作ロッド１４ｄは、給排水枡１１の開放された上面から上方に突出した状態になっている。
【００１１】
流入管１４ｂには、有底円筒状をした逆流防止枡１４ｆが嵌合されている。逆流防止枡１４ｆの上面は開放されており、底面の中央部が流入管１４ｂの外周面に、水密状態でスライドし得るように取り付けられている。逆流防止枡１４ｆは、最も下方にスライドされた状態では、逆流防止枡１４ｆの上端面が、流入管１４ｂの上端面とほぼ同じレベルになる。
【００１２】
逆流防止枡１４ｆの外周面には、垂直な逆流防止用操作ロッド１４ｇの下部が取り付けられており、この逆流防止用操作ロッド１４ｇの上端部は、給排水枡１１の開放された上面を挿通して、その上面から上方に突出している。
【００１３】
エルボ管１４における湾曲部の外周面には、流入補助管１４ｍの下端部が取り付けられている。この流入補助管１４ｍは、流入管１４ｂよりも小径に構成されており、その下端部がエルボ管１４ａの内部と連通している。流入補助管１４ｍは、エルボ管１４の外周面から給排水枡１１の正面および側面１１ｃのコーナー部に向かって水平に延出しており、そのコーナー部に沿って垂直に立ち上げられるように上方に向かって湾曲されている。流入補助管１４ｍの上部は、給排水枡１１の上面よりも上方に突出して、給排水枡１１における給排水堰１１ａが設けられた正面１１ｂを越えて外側に向かって水平に湾曲されており、その先端部に、開閉弁１４ｎが設けられている。開閉弁１４ｎは、コック１４ｋの操作によって開閉されようになっている。
【００１４】
給排水枡１１における用水流入部１４が設けられた側部とは反対側の側部には、水位調整部１５が設けられている。この水位調整部１５には、給水接続管１４ｈが接続された側面１１ｃに対向する他方の側面１１ｄの下部を水平に貫通する排水接続管１５ｈが設けられており、排水接続管１５ｈにおける給排水枡１１内の端部に、水平に配置された連結管１５ａの一方の端部が接続されている。連結管１５ａの他方の端部は、内部に溜まる泥を排出する排泥部になっており、また、その中央部には、上方に向かって突出した接続部が設けられている。この上方に突出した接続部には、給排水枡１１内に垂直に配置された流出管１５ｂの下端部が支持されている。
【００１５】
流出管１５ｂ内には、水位調整管１５ｃがスライド可能に嵌合されている。水位調整管１５ｃの内面には、垂直な水位調整用操作ロッド１５ｄの下部が取り付けられている。水位調整用操作ロッド１５ｄの上端部は、給排水枡１１の開放された上面を通って給排水枡１１の上方に位置している。水位調整管１５ｃの上端面は、給排水枡１１内の用水の排水口になっている。水位調整管１５ｃは、その上端面が、流出管１５ｂの上端面に等しい高さになるように、流出管１５ｂ内に嵌入された状態から、流出管１５ｂから適当な高さにわたって突出するように、上方にスライドされるようになっている。
【００１６】
流出管１５ｂを支持する連結管１５ａの一方の端部に設けられた排泥部は、排泥弁１５ｅによって開閉されるようになっている。この排泥弁１５ｅには、給排水枡１１内に配置された垂直な排泥弁操作ロッド１５ｆの下端部が取り付けられており、この排泥弁操作ロッド１５ｆを上下方向にスライドさせることによって、排泥弁１５ｅが連結管１５ａの排泥部を開閉するようになっている。
【００１７】
このような構成の水位調整ユニット１０は、給排水枡１１の正面１１ｂに設けられた給排水堰１１ａが、水田に向かって開口するように、水田と農道との境界部分に配置される。従って、給排水枡１１から突出した流入補助管１４ｍの先端部は、水田内の上方に位置されている。給排水枡１１は、給排水堰１１ａの下側の側縁が、水田の地盤の高さとほぼ同じレベルになるように設置される。給排水枡１１が所定の状態に設置されると、用水流入部１４における給水接続管１４ｈに、用水が供給される給水パイプが接続されるとともに、水位調整部１５における排水接続管１５ｈに、用水を排出する排水パイプが接続される。
【００１８】
このような水位調整ユニット１０では、代掻きするために水田に用水を灌漑する場合には、用水流入部１４における流入補助管１４ｍの開閉弁１４ｎが閉鎖されるとともに、用水弁用操作ロッド１４ｄを上方にスライド操作して用水弁１４ｃを流入管１４ｂの上端面から上方にスライドさせることによって、流入管１４ｂの流入口が開放される。そして、水位調整部１５の水位調整用操作ロッド１５ｄを操作して、水位調整管１５ｃの上端面における流入口を、水田にて代掻きに必要とされる用水の水位に等しい高さに設定する。
【００１９】
このような状態になると、給水接続管１４ｈを通って流入管１４ｂ内に流入した用水が給排水枡１１内に流入した後に、給排水堰１１ａを通って水田内に供給される。水田には、口径の大きな流入管１４ｂを通って給排水枡１１内に流入した用水が供給されているために、水田に供給される用水の流量が大きく、代掻きに要する多量の用水が短時間で水田に供給されることになる。
【００２０】
このようにして、水田内に用水が供給されて、水田内の用水の水位が、給排水枡１１内における水位調整部１５の水位調整管１５ｃの上端面のレベルに等しくなると、以後、流入管１４ｂを通って給排水枡１１内に流入する用水は、余剰分として、水位調整管１５の上端面の排水口内に流入し、流出管１５ｂ、連結管１５ａ、排水接続管１５ｈを通って排水される。これにより、水田３２には、代掻きに必要な所定の水位にまで供給された用水が所定の水位に保持される。
【００２１】
代掻きが終了した後に、水田に供給された用水の水位を一定に調整する場合には、用水流入部１４における流入補助管１４ｍに設けられた開閉弁１４ｎが、コック１４ｋの操作によって開放されるとともに、用水弁用操作ロッド１４ｄを下方にスライドさせることによって、用水弁１４ｃを流入管１４ｂの上端面の流入口に圧接して、流入管の流入口を閉鎖する。そして、水位調整部１５の水位調整用操作ロッド１５ｄを操作して、水位調整管１５ｃの上端面における流入口の高さを、水田にて必要とされる用水の水位に等しく設定する。
【００２２】
このような状態になると、給水接続管１４ｈを通ってエルボ管１４ａ内に流入した用水は、小径の流入補助管１４ｍを通って、開放された開閉弁１４ｎから水田内に供給され、水田内に供給された用水が所定の水位になると、余剰の用水は、給排水枡１１の給排水堰１１ａを通って、給排水枡１１内に流入し、水位調整管１５の上端面の排水口から、流出管１５ｂ、連結管１５ａ、排水接続管１５ｈを通って排水される。これにより、水田内の用水は、常時、所定の水位に保持される。
【００２３】
代掻き時に水田に用水を供給するために使用される流入管１４ｂは、通常、７５〜１２５ｍｍの口径になっているのに対して、流入補助管１４ｍは、２０〜２５ｍｍの口径になっている。従って、多量の用水が必要な代掻き時には、流入管１４ｂによって、１０〜２０リットル／秒程度の流速で用水が水田に供給されることになり、迅速に所定の水位とされる。これに対して、水田に供給された用水の水位を管理する場合には、小径の流入補助管１４ｍによって、１〜２リットル／秒程度の流速で用水が水田に供給されることになる。従って、余剰分として給排水枡１１から排出される用水量は著しく減少することになる。
【００２４】
なお、流入補助管１４ｍから流出する用水は、先端部に設けられた開閉弁１４ｎにホース等を連結することによって、水田の灌漑以外の用途にも使用することができる。
【００２５】
用水の水位を一定に制御している際に、雨天時等において、水田内の水位上昇によって、水位調整ユニット１０における用水流入部１４から給水パイプに用水が逆流するおそれがあるような場合には、用水流入部１４における逆流防止枡１４ｆを上昇させるように、逆流防止用操作ロッド１４ｇが上方にスライド操作される。これにより、逆流防止枡１４ｆの上端面の位置が上昇し、水田内の用水が、給排水堰１１ａから給排水枡１１内に多量に流入しても、その逆流防止枡１４ｆ内に用水が流入しない限り、用水が逆流するおそれがない。
【００２６】
また、水位調整部１５の水位調整管１５ｃ内に、用水とともに泥が流入して、連結管１５ａ内に泥が溜まった場合には、排泥弁操作ロッド１５ｆを上方にスライドさせて、排泥弁１５ｅを開放することによって、連結管１５ａ内の泥が排出される。
【００２７】
【発明の効果】
本発明の水位調整ユニットは、このように、水田に灌漑される用水の流量を切り換えることができるために、多量の用水を余剰分として排出するおそれがなく、用水を節約することができる。
【図面の簡単な説明】
【図１】本発明の水位調整ユニットの実施の形態の一例を示す縦断面図である。
【図２】その水位調整ユニットの横断面図である。
【図３】その水位調整ユニットの平面図である。
【符号の説明】
１０  水位調整ユニット
１１  給排水枡
１１ａ  給排水堰
１１ｅ  地下灌漑用開口部
１４  用水流入部
１４ｂ  流入管
１４ｃ  用水弁
１４ｆ  逆流防止枡
１４ｋ  コック
１４ｍ  流入補助管
１４ｎ  開閉弁
１５  水位調整部
１５ｂ  流出管
１５ｃ  水位調整管
【図１】
0004139464.tif 000002
【図２】
0004139464.tif 000003
【図３】
0004139464.tif 000004